(57)【要約】【課題】比較的安価な費用負担で、効果的な生活科の体験学習を実現することができる植木鉢を提供する。【解決手段】底部から頂部に向かって広がる正面視で略逆台形形状の植木鉢１であって、最深部の第一底面２と、第一底面より上方に離間した第二底面３とに区分された底部と、第二底面３から側面にかけて形成された通気孔７と、頂部の同一面上に開口される矩形孔９と、を備え、外側に配置される転倒防止枠の一部が、矩形孔９に固定可能に構成されている。【選択図】図２
0003166675.tif 000002
【実用新案登録請求の範囲】
【請求項１】
底部から頂部に向かって広がる、正面視で略逆台形状の植木鉢であって、
最深部の第一底面と、第一底面より上方に離間した第二底面とに区分された底部と、
第二底面から側面にかけて形成された通気孔と、
頂部に開口される複数Ｎ個の係合孔と、を備え、外側に配置される転倒防止枠の一部が、係合孔に固定可能に構成された植木鉢。
【請求項２】
植木鉢の頂部の両端に、側面を折り返して形成された収容部が形成されている請求項１に記載の植木鉢。
【請求項３】
植木鉢の頂部の両端の下面には、固定片が突出形成されている請求項１又は２に記載の植木鉢。
【請求項４】
請求項１〜３の植木鉢に組み付けられる転倒防止枠であって、
頂部から底部に向かって広がる、正面視で略台形状であり、
植木鉢に形成された係合孔に対応して、複数Ｎ個の嵌合爪が突出形成されている転倒防止枠。
【請求項５】
転倒防止枠は、頂部の四隅を連結して固定板が設けられ、この固定板は、植木鉢の収容部に収容される寸法に形成されている請求項４に記載の転倒防止枠。
【請求項６】
転倒防止枠の頂部の四隅には、突出形成された頂上面と、頂上面の基端面から水平に延出される支持面と、支持面の中央に突出形成される保持台とが形成されている請求項４又は５に記載の転倒防止枠。
【請求項７】
請求項１〜４の植木鉢と組み合わされる受け皿であって、上方に向かって起立される側壁と、植木鉢の第一底面を係止する係止突起と、円筒状の給水ボトルを倒立して載置させる十字状突起とを備える受け皿。
【請求項８】
受け皿の十字状突起は、底面から突出する円柱部と、円柱部の頂面から突出する第１十字部と、第１十字部から更に突出される第２十字部と、を備える請求項７に記載の受け皿。
【請求項９】
受け皿の側壁には、十字状突起を左右から囲む固定台が形成されている請求項８に記載の受け皿。
【請求項１０】
受け皿を満水状態にしても、植木鉢の第二底面から側面にかけて形成された通気孔の上部が露出状態を維持するよう、側壁の高さが設定されている請求項７〜９の何れかに記載の受け皿。
【考案の詳細な説明】
【技術分野】
【０００１】
本考案は、必要に応じて様々なパーツを組合わせることが可能な植木鉢に関し、特に、小学校で植物の観察に用いられる生活科教材用の植木鉢に関する。
【背景技術】
【０００２】
従来、小学校でアサガオの観察に用いられる植木鉢は、アサガオの蔓を絡ませる支柱と、受け皿が分離した状態で販売され、それを児童が組み立てて使用していた。ここで用いられる植木鉢は、頂部より底部が狭く形成された逆台形状の植木鉢（図７参照）か、頂部より底部が広い台形状の植木鉢（図８参照）であった。
【０００３】
図８に示すような台形状の植木鉢は、校舎外でアサガオを栽培するときに、風などによる転倒防止のために用いられており、頂部より底部が広い外周壁と、頂部より底部が狭い内周壁とで断面視略Ｍ字状に一体成型されていた。
【０００４】
一方、学校が休みの時には、植木鉢に取り付けられた受け皿に、ペットボトルを装着させる箇所を設け、水を入れたペットボトルから受け皿に自動給水を行っていた（特許文献１参照）。このような構成によれば、土曜日と日曜日の二日程度なら、児童による水遣り作業が不要となる。
【先行技術文献】
【特許文献】
【０００５】
【特許文献１】特許第４２２４２８１号公報
【考案の概要】
【考案が解決しようとする課題】
【０００６】
ところで、図８に示す台形状の植木鉢は、土壌を保持する内筒ＩＮと、転倒防止用の外筒ＯＵＴとの二重構造となるため、これを一体成形するには成形速度が遅くならざるを得ず、また、不良率が高くなるという問題があった。そのため、製造コストが上昇しがちとなり、安価な費用負担で効果的な生活科（理科＋社会）の体験学習をさせたい学校側の要請に応えきれないおそれがあった。
【０００７】
また、特許文献１のように自動給水する場合にも、適切な給水動作を担保する構成が必要であり、万一にも、根腐れを起こすことのない構成が望まれる。
【０００８】
本考案は、上記の問題点に鑑みてなされたものであって、比較的安価な費用負担で、効果的な生活科の体験学習を実現することができ、数日程度なら植物に最適量の水を自動給水することもできる植木鉢及びその付属部材を提供することを目的とする。
【課題を解決するための手段】
【０００９】
上記の目的を達成するため、本考案は、底部から頂部に向かって広がる、正面視で略逆台形状の植木鉢であって、最深部の第一底面と、第一底面より上方に離間した第二底面とに区分された底部と、第二底面から側面にかけて形成された通気孔と、頂部に開口される複数Ｎ個の係合孔と、を備え、外側に配置される転倒防止枠の一部が、係合孔に固定可能に構成されている。
【００１０】
好ましくは、植木鉢の頂部の両端には、側面を折り返して形成された収容部が形成されている。また、植木鉢の頂部の両端の下面には、固定片が突出形成されているのも好ましい。
【００１１】
また、本考案は、上記した植木鉢に組み付けられる転倒防止枠であって、頂部から底部に向かって広がる、正面視で略台形状であり、植木鉢に形成された係合孔に対応して、複数Ｎ個の嵌合爪が突出形成されている転倒防止枠である。この転倒防止枠は、頂部の四隅を連結して固定板が設けられ、この固定板は、植木鉢の収容部に収容される寸法に形成されているのが好ましい。また、転倒防止枠の頂部の四隅には、突出形成された頂上面と、頂上面の基端面から水平に延出される支持面と、支持面の中央に突出形成される保持台とが形成されているのも好適である。
【００１２】
本考案は、上記した植木鉢に組み合わされる受け皿であって、上方に向かって起立される側壁と、植木鉢の第一底面を係止する係止突起と、円筒状の給水ボトルを倒立して載置させる十字状突起とを備える受け皿である。ここで、受け皿の十字状突起は、底面から突出する円柱部と、円柱部の頂面から突出する第１十字部と、第１十字部から更に突出される第２十字部と、を備えるのが好ましい。
【００１３】
また、受け皿の側壁には、十字状突起を左右から囲む固定台が形成されているのが好適であり、受け皿を満水状態にしても、植木鉢の第二底面から側面にかけて形成された通気孔の上部が露出状態を維持するよう、側壁の高さが設定されているのが好適である。
【考案の効果】
【００１４】
上記した本考案によれば、比較的安価な費用負担で、効果的な生活科の体験学習を実現することができ、数日程度なら植物に最適量の水を自動給水することもできる。
【図面の簡単な説明】
【００１５】
【図１】組み立て式植木鉢に他の部材を取り付けた状態を示す図である。
【図２】植木鉢を示す図である。
【図３】植木鉢に取り付けられる転倒防止枠を示す図である。
【図４】植木鉢に取り付けられる受け皿を示す図である。
【図５】植木鉢に転倒防止枠と受け皿を取り付けた状態を示す図である。
【図６】給水ボトルに使用されるキャップ部を示す図である。
【図７】従来の植木鉢を示す図である。
【図８】従来の別の植木鉢を示す図である。
【考案を実施するための形態】
【００１６】
本考案を実施形態に基づき以下に説明する。図１は、別々に製造した転倒防止枠３１と植木鉢１とを一体化してなる組み立て式植木鉢ＧＲの使用状態を示す図である。
【００１７】
図１には、植木鉢１の頂部四隅から上方へ延び、アサガオなどの蔓を絡ませる支柱２１と、支柱２１を水平方向に連結する連結環２２と、植木鉢１の外側に一体化され、風などによって植木鉢１が転倒するのを防止する転倒防止枠３１と、植木鉢１が載置される矩形状の受け皿４１と、受け皿４１に倒立保持された給水ボトル５１とが、示されている。
【００１８】
図２は、本考案の植木鉢１を図示したものであり、図２（ａ）は斜視図、図２（ｂ）は底面図である。以下、矢印に示す四方向を、前後、左右、上下として説明を続ける。この植木鉢１は、プラスチックで一体成型されており、平面視で略矩形状に形成され、底部が閉塞され頂部が開口されるとともに、頂部から底部に向かって狭まる正面視で略逆台形状に形成されている。
【００１９】
この植木鉢１の底部は、四隅に形成された有底角筒状の深底部２・・・２と、深底部２と段差を形成して略十字架状に形成された浅底部３とに区分される。深底部２と浅底部３と間の段差寸法は、受け皿４１に植木鉢１を載置し、受け皿４１に給水ボトル５１から水を満たしたとき、浅底部３が水面と接触しない程度の高さに設定されている。
【００２０】
図２（ｂ）に示すように、４つの深底部２には、受け皿４１を固定するため、それぞれ中央に矩形孔５が形成されている。また、矩形孔５の周りには８つの円孔６が形成されている。植木鉢１を下方から示す底面図（図２（ｂ））に示すように、深底部２の下面には、高さ数ｍｍ程度の突条２ａが、円孔６を取り囲むように周回しており、その一部が切り欠かれることで、深底部２及び鉢内部への通水口ＣＵＴを形成している。
【００２１】
一方、略十字架状の浅底部３には、長さの異なる複数の長円状の通気孔７が形成されている。そして、通気孔７の最上部は、受け皿４１を無理に満水状態にした場合でも、その水面より上部に位置するよう設定されている。そのため、万一、面倒見の良すぎる児童によって、定常的に受け皿４１が満水状態に維持されても、最上部の通気孔７だけは開口しているので、根腐れの発生を防止することができる。
【００２２】
植木鉢１の頂部は、側面４の頂部から外方向に折り曲げられて頂面８を形成し、更に折り返すことで機械的強度を確保している。頂面８の四隅には、４つの矩形孔９が同一面上に形成されている。また、矩形孔９の前後には、支柱２１を立設させる４つの円筒孔１０が上下方向に形成されている。
【００２３】
また、頂面８の左右には、平面視でＵ字状の取手部１３，１３が突出形成されている。そして、取手部１３の左右方向の内側には、断面Ｊ字状に折り曲げられた収容辺１２が形成されている。この収容辺１２は、頂面８よりやや下方位置に形成され、転倒防止枠３１の頂部の一部を受け入れるよう、側面４を下方に折り返して受入れ溝を形成している。更に、取手部１３の基端部１１の裏面には、（図２（ｂ））に示すとおり、矩形板状の固定片１４，１４が上下方向に形成されている。この固定片１４，１４は、転倒防止枠３１の頂部の別の一部を受け入れる部分である。
【００２４】
植木鉢１の前方中央には、内向き略半円筒状に屈曲させた凹陥部１５が頂部から底部にかけて形成され、後方中央には、頂部やや下方から底部にかけて、内向き逆コ字状に屈曲させた凹陥部１６が形成されている。凹陥部１６の頂部から植木鉢１の頂面８にかけて、有底略半円筒状の挿入部１７が形成され、挿入部１７の底部中央には、頂部から底部にかけて縦溝が形成され、上方へ向けて円筒状の突起１８が形成されている。
【００２５】
以下、図３〜図６を用いて植木鉢１と組み合わせて使用される付属部材を述べる。図３は、転倒防止枠３１を示す斜視図である。この転倒防止枠３１は、植木鉢１と同様にプラスチックで一体成型されており、平面視で略矩形状に形成され、底部及び頂部とも開口されるとともに、頂部から底部に向かって広がる正面視略台形状に形成されている。
【００２６】
そして、この転倒防止枠３１は、前後方向及び左右方向に対称形状に形成されており、植木鉢１と転倒防止枠３１とを一体化する作業を容易化している。また、転倒防止枠３１は、その頂部が植木鉢１の頂部と結合可能な大きさに形成され、底部は、植木鉢１を受け皿４１に載置したとき、受け皿４１の底部よりやや大きくなる寸法に形成されている。また、この転倒防止枠３１は、植木鉢１を受け皿４１に載置したときの高さと同程度の高さに形成されている（図１参照）。
【００２７】
図３に示すとおり、転倒防止枠３１は、前後方向の側面中央が、頂部から底部側にかけて略円弧状に開口されており、前面と後面の中央には、矩形状の取付孔３２，３２が各々形成されている。
【００２８】
また、頂部の四隅には、円弧状の係止面３３と、係止面３３の底部から水平に内方に延出される略三角形状の支持面３４と、支持面３４の中央に突出形成される角柱状の保持台３５と、支持面３４から直立する矩形状の連結片３６とが、各々４個形成されている。そして、連結片３６の内面には、鉤状の嵌合爪３７が各々形成されている。また、前後の連結片３６，３６は、矩形板状の固定板３８によって連結されている。
【００２９】
図４は、受け皿４１を示す図であり、図４（ａ）は、受け皿４１の前後方向を逆にした斜視図、図４（ｂ）は、十字状突起４５を示す拡大図である。この受け皿４１は、植木鉢１の底部よりやや大きく平面視で略矩形状に形成され、側壁４２が全て上方に向かって起立されるように形成されている。この側壁４２は、その頂部を外方向に折り曲げることで機械的強度を確保している。また、側壁４２の左右中央には、植木鉢１の取手部１３の離間距離と同程度の長さの凸部４３が前後方向に形成されている。そのため、受け皿４１を逆さまにして凸部４３を取手部１３の隙間に配置すれば、植木鉢１を受け皿４１で蓋をすることができ、植物の霜対策が可能となる。
【００３０】
この受け皿４１の底部には、植木鉢１の矩形孔５に対応する４つの円柱突起４４と、前方中央に形成された十字状突起４５とが上方へ向かって突出形成されている。この十字状突起４５は、底面から側壁の６分の１程度の高さの円柱４６と、円柱４６の頂面から突出され、円柱４６の側周面と内接する程度の大きさで肉厚の十字部４７と、肉厚の十字部４７の頂面から更に突出された薄肉十字部４８とが、全体として、側壁の高さの３分の２程度に形成されている。なお、薄肉十字部４８は、中央が円柱状で四方が矩形板体に形成されている。
【００３１】
図４に示すように、受け皿４１の前面（図では背面）中央付近には、側壁４２から二股状に内側へ向かって突出し、十字状突起４５を左右から囲む固定台４９，４９が形成されている。この固定台４９の頂面中央には、略矩形状の挿入孔５０，５０が各々形成されている。
【００３２】
図５は、植木鉢１と転倒防止枠３１と受け皿４１を組み合わせた状態を示す図であり、図５（ａ）は斜視図、図５（ｂ）は平面図である。組付け方法を説明すると、図５に示すとおり、先ず、植木鉢１の矩形孔９の下方から、転倒防止枠３１の嵌合爪３７を差し込む。先に説明した通り、嵌合爪３７は鉤状に形成されているので、一旦、嵌合爪３７が差し込まれると、植木鉢１と転倒防止枠３１とが分離することはない。この組付け状態では、植木鉢１の収容辺１２に転倒防止枠３１の固定板３８が挿入される。また、取手部１３の基端部１１の側面と、転倒防止枠３１の係止面３３が当接されるとともに、植木鉢１の２つの固定片１４，１４が転倒防止枠３１の保持台３５の側面に当接される。これにより、植木鉢１は転倒防止枠３１に確実に固着される。
【００３３】
この転倒防止枠３１は、予め工場内で植木鉢１に組みつけておくことができ、学校側の希望に従い、植木鉢１のみを販売するか、転倒防止枠３１付の組み立て式植木鉢ＧＲＤを販売することとなる。
【００３４】
図６は、図１に示す給水ボトル５１のキャップ部５３を示す図面であり、図６（ａ）は斜視図、図６（ｂ）は底面図である。
【００３５】
本実施例の給水ボトル５１としては、好適には市販の５００ｍｍＬのペットボトルが活用され、そのペットボトル５２にキャップ部５３が取り付けられて構成されている。このキャップ部５３は、有底円筒状に形成されたキャップ本体５４と、キャップ本体５４の底部中央から上方へ向かって突出される円筒状の空気導入筒５５と、キャップ本体５４から外方に延出された後に下方へ屈曲された舌片５６とが一体に形成されている。
【００３６】
ここで、舌片５６の先端内側には、内方に突出され水平方向に伸びる係止爪６１が形成されている。この係止爪６１は、キャップ本体５４を取り付けたペットボトル５２を、転倒防止枠３１に装着する場合に有効に機能する。また、本実施例では、キャップ部５３に舌片５６を設けているので、給水ボトル５１を、植木鉢１や受け皿４１の適所に取り付けることができる。給水ボトル５１の取付け箇所や取付け方法は、特に限定されないが、(1)舌片５６を、挿入孔５０（図４（ａ）参照）に挿入すること、(2)凹陥部１５の頂上縁１９に、舌片５６を係止すること、(3)植木鉢１の突起１８（図２（ａ）参照）に、キャップ部５３を突き刺すこと、を好適に例示することができる。
【００３７】
キャップ本体５４は、内周面にペットボトル５２の開口と螺合するネジ溝５７が形成されている。なお、外周面には、回転操作を容易化する複数の楕円溝５８が形成されている。また、図６（ｂ）に示すとおり、キャップ本体５４の底部には、径方向中央に吸気口５９が形成され、その周りには３６°間隔で１０個の矩形状の吐出孔６０が形成されている。吸気口５９の内径は、植木鉢１の突起１８及び受け皿４１の薄肉十字部４８より若干大きく形成されている。また、１０個の吐出孔６０は、３６°の等間隔で形成されているので、給水ボトル５１を普通に使用する限り、薄肉十字部４８によって、いずれの孔も閉塞されるおそれはない。
【００３８】
なお、空気導入筒５５の高さＨと、吐出孔６０の内径及び個数は、キャップ本体５４をペットボトル５２に螺合させ、ペットボトル５２の水を、植物に対してシャワー状に散水する場合の散水継続時間や、吐出される水の散水範囲が適切化されるよう設定されている。具体的には、各吐出孔６０から吐出される水の速度Ｖは、空気導入筒５５の高さＨに対応して、Ｖ＝ＳＱＲ（２×ｇ×Ｈ）程度となる。ここで、ｇは、重力加速度であり、ＳＱＲはルート記号である。
【００３９】
続いて、組み立て式植木鉢ＧＲＤと受け皿４１とを組み合わせる使用方法を説明する。この場合には、組み立て式植木鉢ＧＲＤを受け皿４１に載置する（図５（ｂ）参照）。このとき、植木鉢１の深底部２の矩形孔５に受け皿４１の円柱突起４４を挿入すると、植木鉢１と受け皿４１は着脱可能に固定される。また、この固定時には、転倒防止枠３１の取付孔３２は、受け皿４１の側壁４２の頂部よりやや下方に配置される。
【００４０】
次に、組み立て式植木鉢ＧＲＤと受け皿４１とを組み合わせた状態で給水ボトル５１を使用する場合について説明する。ペットボトル５２に注水し、ペットボトル５２の口にキャップ部５３を締め込んで、図１に示すように受け皿４１に給水ボトル５１を倒立して載置させる。
【００４１】
この時、キャップ部５３の吸気口５９に、受け皿４１の薄肉十字部４８が挿入され、空気導入筒５５の内周面に薄肉十字部４８の側面が当接され、キャップ部５３の底部が肉厚の十字部４７の頂面に当接される。また、キャップ本体５４の側面とＬ字状の舌片５６により、受け皿４１の側壁４２と転倒防止枠３１の正面中央側は挟み込まれ、舌片５６の係止爪６１が転倒防止枠３１の取付孔３２に係止される。これにより転倒防止枠３１と受け皿４１は、給水ボトル５１により連結される。
【００４２】
また、キャップ本体５４の側面は、受け皿４１の固定台４９、４９の側面と当接され、ペットボトル５２の背面は植木鉢１の凹陥部１５と当接されることにより給水ボトル５１は、倒立させた状態で固定される。植木鉢１には、凹陥部１５が形成されているので、給水ボトル５１を障害なく容易に受け皿４１上に取り付けることができる。なお、受け皿４１の固定台４９，４９の何れかの挿入孔５０，５０に、舌片５６の先端を差し込んで、給水ボトル５１を倒立されて給水させても良い。
【００４３】
何れにしても給水ボトル５１を倒立させた状態で保持すると、水が受け皿４１に流れ出し、肉厚の十字部４７の頂部まで（給水ボトル５１の吐出孔６０まで）受け皿４１内を満たす。この時、植木鉢１の深底部２は水面下となり、突条２ａを切欠いた４箇所の通水口ＣＵＴから、円孔６を通過して植木鉢１に水が流れ込み、植物の根に吸収されることとなる。
【００４４】
一方、植木鉢１の浅底部３は、受け皿４１の肉厚の十字部４７より高い位置となるように、深底部２から高さ方向に離間しており、受け皿４１に水を満たしても、浅底部３の通気孔７が水と接触せず、植木鉢１の底部は通気が保たれる。さらに、通気孔７は植木鉢１の側面４の下方側まで達するように形成されているので、植木鉢１の側面下方も通気が保たれることなる。
【００４５】
ところで、受け皿４１に満たされた水は、肉厚の十字部４７の頂部まで達するが、それ以上の高さには上がらない。水が植物の根により吸収されるか、又は蒸発されるかにより水面が下がると、肉厚の十字部４７の頂部まで自動で、給水ボトル５１の水が受け皿４１に補給される。
【００４６】
なお、給水ボトル５１を受け皿４１に装着するのではなく、給水ボトル５１の水を直接、受け皿４１に注ぐと受け皿４１を満水状態にすることもでき、この場合には、浅底部３も浸水状態となる。しかし、このような満水状態でも、植木鉢１に形成された通気孔７の最上部は、大気に開放された状態を維持するので、根腐れの発生を防止することができる。
【００４７】
また、本考案の植木鉢１と、転倒防止枠３１は別々に製造されるので、例えば、色の異なる複数の植木鉢１と、転倒防止枠３１とを用意しておけば、カラーバリエーションに富んだ組み立て式植木鉢ＧＲＤを提供することができる。
【００４８】
また上記実施例では、受け皿４１に給水ボトル５１を取り付けて自動給水を行っているが、受け皿４１を使用せず、植木鉢１の頂部に形成された挿入部１７に給水ボトルを挿入し、突起１８に空気導入筒５５の内周面を当接させることで、植木鉢１の頂部から給水することもできる。このように土の上から散水すると、アサガオの葉に水をかけることなく、肥料を溶解させることができ、アサガオの成長を促進させることができる。
【００４９】
また、凹陥部１５の頂上縁１９に、舌片５６を係止して、給水ボトル５１を保持することもできる。この場合には、植木鉢１に収容された土壌に、キャップ部５３の先端が突き刺さることで、ボトル内部の水をゆっくりと土壌に浸入させることができる。
【符号の説明】
【００５０】
１      植木鉢
２      第一底面
３      第二底面
７      通気孔
９      矩形孔
【図１】
0003166675.tif 000003
【図２】
0003166675.tif 000004
【図３】
0003166675.tif 000005
【図４】
0003166675.tif 000006
【図５】
0003166675.tif 000007
【図６】
0003166675.tif 000008
【図７】
0003166675.tif 000009
【図８】
0003166675.tif 000010
【手続補正書】
【提出日】平成23年1月6日(2011.1.6)
【手続補正１】
【補正対象書類名】実用新案登録請求の範囲
【補正対象項目名】請求項４
【補正方法】変更
【補正の内容】
【請求項４】
請求項１〜３のいずれか一項に記載の植木鉢に組み付けられる転倒防止枠であって、
頂部から底部に向かって広がる、正面視で略台形状であり、
植木鉢に形成された係合孔に対応して、複数Ｎ個の嵌合爪が突出形成されている転倒防止枠。
【手続補正２】
【補正対象書類名】実用新案登録請求の範囲
【補正対象項目名】請求項７
【補正方法】変更
【補正の内容】
【請求項７】
請求項１〜３のいずれか一項に記載の植木鉢と組み合わされる受け皿であって、上方に向かって起立される側壁と、植木鉢の第一底面を係止する係止突起と、円筒状の給水ボトルを倒立して載置させる十字状突起とを備える受け皿。